(57)【特許請求の範囲】
【請求項１】
ヘアーカッター本体の先端に毛髪を切断する刃部を有すると共に刃部の先端から突出して頭皮と刃部との間の間隔が所定間隔になるように支持する支持部材を有し、支持部材の先端を頭皮に当接してヘアーカッター本体を頭部の上方から下方に移動させて毛髪を刃部で切断するヘアーカッターにおいて、刃部の刃面と垂直で刃部の前方に突出する櫛歯部を多数並設した櫛部材にて支持部材を形成し、櫛歯部の先端の当接部を頭皮に当接してヘアーカッター本体を頭部の上方から下方に移動させて毛髪を切断するとき刃部の上方で毛髪を押さえて毛髪を圧縮する押さえ部を刃部の刃面と略平行に設け、刃部の毛髪を切断する部分の前記当接部側の端を切断作用部としたとき、押さえ部で押さえられて圧縮された毛髪のうち前記当接部から刃部の切断作用部まで間隔の厚さ分を残し且つ押さえ部と刃部の切断作用部との間隔の厚さ分だけ切断されるように前記当接部に対して押さえ部の先端を刃部の切断作用部より後方に位置させて成ることを特徴とするヘアーカッター。
【請求項２】
櫛部材で刃部の切断作用部を覆うようにしたことを特徴とする請求項１記載のヘアーカッター。
【請求項３】
支持部材を前後にスライド自在になるようにヘアーカッター本体に装着したことを特徴とする請求項１記載のヘアーカッター。
【請求項４】
支持部材の先端を凹状に彎曲させて支持部材の上部と下部の２箇所に頭皮への当接部を設けて成ることを特徴とする請求項１記載のヘアーカッター。
【請求項５】
押さえ部を有する押さえ部材を前後にスライド自在に装着して成ることを特徴とする請求項１記載のヘアーカッター。
【請求項６】
支持部材と押さえ部が刃部に対して上下に回動自在になっていることを特徴とする請求項１記載のヘアーカッター。
【請求項７】
回動自在な支持部材及び押さえ部をバネにて初期位置に復帰するように付勢して成ることを特徴とする請求項６記載のヘアーカッター。
【発明の詳細な説明】
【０００１】
【産業上の利用分野】
本発明は、毛髪を刈り揃えるのに用いるヘアーカッターに関するものである。
【０００２】
【従来の技術】
一般にヘアーカッターとして最も一般的なのは、所謂バリカンであるが、これは丸刈りする場合にはよいものの、調髪という点から熟練した技術を要するために家庭内での使用には無理がある。
家庭でも比較的熟練を要せず調髪できるヘアーカッターとしては図９に示す構造のもの（特開平４ー２１８１９３号公報）が提供されている。これはヘアーカッター本体１の先端に刃部２を設けてあり、ヘアーカッター本体１の先端部にアタッチメント３′を取り付け、アタッチメント３′に櫛歯部ａやガード部ｂを設けて形成されている。この櫛歯部ａやガード部ｂの先端は刃部２の先端より突出している。かかるヘアーカッターは、図９（ａ）（ｂ）（ｃ）に示すようにヘアーカッター本体１を頭部の上部から下部に移動させることで刃部２で毛髪４を切断するものであり、切断するとき櫛歯部ａの先端を頭皮に当接して上部から下部に移動させることで櫛歯部ａの根元で毛髪３を押さえながら櫛歯部ａで毛髪４が梳かれ、毛髪４の先端が図９（ｂ）のようにガード部ｂの先端から離れると自身の弾性によって毛髪４の先端が刃部２側に広がり、図９（ｃ）のように刃部２で毛髪４の先端の毛先だけ切断されるようになっている。つまり、毛髪４を梳かしながら毛髪４の先端を徐々に切断して段カットのような調髪ができるようになっている。
【０００３】
【発明が解決しようとする課題】
ところが、上記従来例にあっては、毛髪４の先端部のみを切断するものであるため、調髪に時間がかかり、また同じところを何度も梳かしていると、その部分のみ薄くなってしまうために全体的に均一な滑らかな仕上がり（例えば奇麗な段カット）を達成するためにはそれなりの熟練を要するという問題がある。
【０００４】
本発明は上記問題点に鑑みてなされたものであって、本発明の目的とするところは手早く、簡単に誰でも全体を均一にカットでき、奇麗な仕上がり（例えば段カット）を得ることができるヘアーカッターを提供するにある。
【０００５】
【課題を解決するための手段】
上記目的を達成するため本発明ヘアーカッターは、ヘアーカッター本体１の先端に毛髪４を切断する刃部２を有すると共に刃部２の先端から突出して頭皮５と刃部２との間の間隔が所定間隔になるように支持する支持部材６を有し、支持部材６の先端を頭皮５に当接してヘアーカッター本体１を頭部の上方から下方に移動させて毛髪４を刃部２で切断するヘアーカッターにおいて、刃部２の刃面と垂直で刃部２の前方に突出する櫛歯部１５を多数並設した櫛部材６ａにて支持部材６を形成し、櫛歯部１５の先端の当接部１８を頭皮５に当接してヘアーカッタ本体１を頭部の上方から下方に移動させて毛髪４を切断するとき刃部２の上方で毛髪４を押さえて毛髪４を圧縮する押さえ部７を刃部２の刃面と略平行に設け、刃部２の毛髪４を切断する部分の前記当接部１８側の端を切断作用部８としたとき、押さえ部７で押さえられて圧縮された毛髪のうち前記当接部１８から刃部２の切断作用部８まで間隔の厚さ分を残し且つ押さえ部７と刃部２の切断作用部８との間隔の厚さ分だけ切断されるように前記当接部１８に対して押さえ部７の先端を刃部２の切断作用部８より後方に位置させて成ることを特徴とする。
【０００６】
【作用】
上記構成によれば、支持部材６の先端を頭皮５に当接し、ヘアーカッター本体１を頭部の上方から下方に移動させると、押さえ部７で毛髪４が押さえられながら押さえ部７と刃部２の切断作用部８との間隔の厚さ分だけ切断される。つまり、支持部材６にてカット後の最小の厚みを保証し、押さえ部７の存在にて一度にバッサリ切断されず（押さえ部７がないと刃部２の切断作用部８より外方に広がる毛髪が一度にバッサリ切断される）、毛髪４を所定の厚みだけ切断できる。このように切断することにより、従来のように毛髪４の先端だけを切断するのに比べて手早く行うことができ、また誰が切断して所定の状態に切断できて全体的に均一にカットでき、奇麗な仕上がり（例えは段カット）を得ることができる。
【０００７】
【実施例】
まず図１乃至図５に示す実施例から述べる。
１はヘアーカッター本体であって、ヘアーカッター本体１の先端に刃部２を設けてある。この刃部２は固定刃２ａと可動刃２ｂとで構成され、可動刃２ｂを往復駆動することにより固定刃２ａと可動刃２ｂとの間で切断するようになっている。可動刃２ｂはヘアーカッター本体１内に内装した駆動機構にて電動で駆動されるようになっている。筒状のアタッチメント３はヘアーカッター本体１の先端部に被せるように装着できるようになっており、アタッチメント３の基部の取り付け筒部９をヘアーカッター本体１の被取り付け部１０に被嵌してあり、被取り付け部１０の係止突起１１を取り付け筒部９の係止凹部１２に着脱自在に係止してある。アタッチメント３の片面側の先端にはコ字状の切り欠き１３を設けてあり、この切り欠き１３の奥部の前端縁が押さえ部７となっている。この押さえ部７は刃部２の刃面と平行に形成されており、押さえ部７は刃部２の切断作用部８より少しの所定寸法だけ後方に位置している。
【０００８】
支持部材６は本実施例の場合櫛部材６ａにて形成されており、アタッチメント３の先端部に櫛部材６ａを装着してある。櫛部材６は平板状の基板１４と複数枚の櫛歯部１５を一体に設けて形成されている。櫛歯部１５は基板１４に対して直交する垂直面となっており、複数枚の櫛歯部１５が平行で且つ等間隔に並設されている。複数枚の櫛歯部１５の後部側の形状はヘアーカッター本体１の先端部に沿う形状になっており、櫛歯部１５の後部で上下方向の中間部には刃部２が収まる刃部挿入溝１６を設けてある。櫛歯部１５の先端には凹状の彎曲した彎曲部１７を設けてあり、この彎曲部１７の上下に頭皮５への当接部１８を形成してある。この櫛部材６ａの基板１４はアタッチメント３の先端部の内面に対して摺動自在になるように装着され、櫛歯部１５の刃部挿入溝１６内に刃部２を収めてある。
【０００９】
アタッチメント３の押さえ部７の後方には釦装着孔１９を穿孔してあり、この釦装着孔１９には操作釦２０をスライド自在に装着してある。櫛部材６ａの基板１４には凹面部２１を設けてあり、この凹面部２１にはがぎ状のスライド孔２２を２個平行に穿設してある。上記操作釦２０の裏面には２個のボス部２３を突設してあり、２個のボス部２３をスライド孔２２にスライド自在に挿通してある。そして操作釦２０をスライド操作することにより櫛部材６ａが出入し、櫛歯部１５の当接部１８と刃部２の切断作用部８との間隔を調整できるようになっている。本実施例の場合、操作釦２０の操作で櫛部材６ａを出入りさせたとき当接部１８と切断作用部８との間の間隔が最大になった位置とこの間隔が最小のなった位置との２位置で止めることができるようになっている。
【００１０】
次に上記のように構成せるヘアーカッターの動作を説明する。
ヘアーカッター本体１を手で持ち、櫛部材６ａの櫛歯部１５の先端部を頭皮５に当接し、ヘアーカッター本体１を頭部の上方側から下方側に移動させることにより毛髪４を切断することができる。このとき、櫛部材６ａの櫛歯部１５で毛髪４が梳かされると共に押さえ部７で毛髪４が圧縮され、刃部２の切断作用部８が押さえ部７より突出している厚さ分だけ刃部２で毛髪４が切断される。つまり、櫛歯部１５の当接部１８と刃部２の切断作用部８までの間隔をａとし、刃部２の切断作用部８から押さえ部７までの間隔をｂとしたとき、ａ＋ｂは毛髪４が圧縮された厚さとなり（圧縮される前の毛髪４の厚さｃは厚くて当然ｃ＞ａ＋ｂとなっている）、毛髪４が切断されるカット量はカット量（％）＝ｂ／（ａ＋ｂ）×１００の割合となり、この割合ずつカットされる。上記のようにヘアーカッター本体１を手で持ち、上下に移動させる動作を頭部全体に亙って繰り返すことで毛髪４の厚さがａ寸法になるまでカットされて調髪される。上記ａ寸法は具体的には９〜１１ｍｍ程度であり、ｂ寸法は具体的には０．５〜１．５ｍｍ程度である。
【００１１】
上記のようにヘアーカッター本体１を手で持ち上方から下方に移動させて切断するとき櫛部材６ａの櫛歯部１５で毛髪４が梳かされ、毛髪４を揃えて切断できる。また櫛歯部１５の先端部を頭皮５に当接したとき、彎曲部１７にて形成された上下２箇所の当接部１８が頭皮５に当接され、頭皮５への当て面が安定して安定した移動と毛髪４の切断ができる。また櫛部材６ａの櫛歯部１５の刃部挿入溝１６に刃部２を位置させて刃部２を櫛歯部１５で覆ったことにより、切断された毛髪４が刃部２の近傍に溜まることなく櫛歯部１５でガイドしてスムースに落下させることができる。また操作釦２０を操作することにより、櫛部材６ａを前後させて櫛歯部１５を出入りさせ、毛髪４のカットする厚さを調整することができる。図５（ａ）は櫛歯部１５を後退させた状態で櫛歯部１５から切断作用部８までの間隔はａ１  と最小になっており、図５（ｂ）は櫛歯部１５を前進させた状態で櫛歯部１５から切断作用部８までの間隔はａ２  と最大になっている。ａ１  は具体的には９ｍｍであり、ａ２  は具体的には１１ｍｍである。
【００１２】
次に図６に示す実施例について述べる。
本実施例の場合、アタッチメント３の先端に支持部材６としての櫛部材６ａを一体に装着してある。この櫛部材６ａの構造は上記実施例と基本的に同じである。だだし櫛部材６ａは前後に動く構造にはなっていない。アタッチメント３の前部から櫛歯部１５の後部に亙ってスライド凹部２５を凹設してあり、このスライド凹部２５に押さえ部材２６を前後にスライド自在に装着してあり、押さえ部材２６の前縁を押さえ部７としてある。このようにしてあると、押さえ部材２６を前にスライドさせて図６（ａ）のように刃部２の切断作用部８と押さえ部７との間の間隔をｄと狭くしたり、切断作用部８と押さえ部７との間の間隔をｅと広くしたりでき、１回のカット量を調整できる。
【００１３】
次に図７、図８に示す実施例について述べる。
本実施例の場合も、支持部材６は複数枚の櫛歯部１５を並設した櫛部材６ａにて形成されており、押さえ部材２６を櫛歯部１５に一体に形成してある。この押さえ部材２６の前縁が押さえ部７となっている。櫛部材６ａの両側の櫛歯部１５の側面から側方に円形のボス２７が突出しており、アタッチメント３の先端部の両側の内面に円形の軸支凹部２８が設けてあり、ボス２７を軸支凹部２８に嵌合して櫛部材６ａと押さえ部材２６を前後に回動（スイング）自在に装着してある。アタッチメント３の内部にはバネ収納凹部２９を設けてあり、このバネ収納凹部２９にコイルバネのようなバネ３０を内装してあり、アタッチメント３と櫛歯部１５との間にバネ３０を架設してある。このバネ３０は図８（ａ）のように櫛部材６ａや押さえ部材２６が初期位置に戻るように付勢されており、図８（ｂ）のように櫛部材６ａや押さえ部材２６を回動させてもバネ３０の反力にて初期位置に復帰するようになっている。このことにより、ヘアーカッター本体１を頭に沿って動かなくても櫛部材６ａや押さえ部材２６が回動して刈り厚さ（刈り高さ）を一定にできる。
【００１４】
なお、上記実施例の場合、支持部材６は複数枚の櫛歯部１５を有する櫛部材６ａで構成したものについて述べたが、支持部材６は頭皮５と刃部２の切断作用部８との間に一定の距離を確保できるように支持できるものであればどのような構造ものでもよい。例えば、一対の支持片を刃部２の両端から前方に突設しただけのものでもよい。ただ、複数枚の櫛歯部１５を有する櫛部材６ａで構成したものの場合、毛髪４を梳きながらできるので調髪作業が非常に行いやすく、奇麗に仕上げることができる。また押さえ部７も上記実施例のものに限定されず、要は刃部２の切断作用部８と押さえ部７との距離で切断量を規定できるものであればどのような構造であってもよい。また実施例では押さえ部７を刃部２の上方に１つのみ設けたものを示したが、刃部２の上下に対向させて一対設けもよい。また本実施例の場合、刃部２を固定刃２ａと可動刃２ｂで構成し、可動刃２ｂを電動で往復駆動する構造のものについて説明したが、このような電動式のものに限定されず、所謂レザーカットを言われるような固定式（手動式）のものでも同様に実施できる。また支持部材６と押さえ部７の配置する面は上記実施例のものに限定されず、押さえ部７は刃部２の刃面と平行で、支持部材６は頭皮７への当接部１８さえあればどのような配置でもよい。実施例では、ヘアーカッター本体１に着脱可能のアタッチメント３に支持部材６及び押さえ部７を設けた例を示したが、アタッチメントなしに支持部材６及び押さえ部７をヘアーカッター本体１に直接設けてもよい。
【００１５】
【発明の効果】
本発明は叙述のようにヘアーカッター本体の先端に毛髪を切断する刃部を有すると共に刃部の先端から突出して頭皮と刃部との間の間隔が所定間隔になるように支持する支持部材を有し、支持部材の先端を頭皮に当接してヘアーカッター本体を頭部の上方から下方に移動させて毛髪を刃部で切断するヘアーカッターにおいて、刃部の刃面と垂直で刃部の前方に突出する櫛歯部を多数並設した櫛部材にて支持部材を形成し、櫛歯部の先端の当接部を頭皮に当接してヘアーカッタ本体を頭部の上方から下方に移動させて毛髪を切断するとき刃部の上方で毛髪を押さえて毛髪を圧縮する押さえ部を刃部の刃面と略平行に設け、刃部の毛髪を切断する部分の前記当接部側の端を切断作用部としたとき、押さえ部で押さえられて圧縮された毛髪のうち前記当接部から刃部の切断作用部まで間隔の厚さ分を残し且つ押さえ部と刃部の切断作用部との間隔の厚さ分だけ切断されるように前記当接部に対して押さえ部の先端を刃部の切断作用部より後方に位置させているので、支持部材の先端を頭皮に当接し、ヘアーカッター本体を頭部の上方から下方に移動させると、押さえ部で毛髪を押さえながら押さえ部と刃部の切断作用部との間隔の厚さ分だけ切断できるものであって、支持部材にてカット後の最小の厚みを保証し、押さえ部の存在にて一度にバッサリ切断されず、毛髪を所定の厚みだけ切断できるものであり、しかも刃部の刃面と垂直で刃部の前方に突出する櫛歯部を多数並設した櫛部材にて支持部材を構成したので、ヘアーカッター本体を移動させて毛髪を切断するとき櫛部材で毛髪を梳くことができて円滑且つ奇麗に毛髪を切断できるものである。従って従来のように毛髪の先端だけを切断するのに比べて手早く行うことができ、また誰が切断してもヘアーカッター本体を毛髪の流れに沿って動かすだけで所定の状態に切断できて全体的に均一にカットでき、奇麗な仕上がりを得ることができる。
【００１６】
また本発明の請求項２記載の発明にあっては、櫛部材で刃部の切断作用部を覆うようにしたので、刃部で切断した毛髪を刃部近傍に溜めることなく、スムーズに落下させることができるものである。
【００１７】
さらに本発明の請求項３記載の発明にあっては、支持部材を前後にスライド自在になるようにヘアーカッター本体に装着したので、支持部材の先端と刃部の切断作用部との間隔を調整でき、好みにより仕上がりの髪の厚さを調整できるものである。
さらにに本発明の請求項４記載の発明にあっては、支持部材の先端を凹状に彎曲させて支持部材の上部と下部の２箇所に頭皮への当接部を設けているので、頭皮に支持部材の上下の２箇所の当接部が当接し、頭皮への当接が安定してスムーズな使用ができるものである。
【００１８】
また本発明の請求項５記載の発明にあっては、押さえ部を有する押さえ部材を前後にスライド自在に装着しているので、押さえ部の前後位置を調整して毛髪のカット量を調整できるものである。
さらに本発明の請求項６記載の発明にあっては、支持部材と押さえ部が刃部に対して上下に回動自在になっているので、ヘアーカッター本体を頭部の形状に沿って動かさなくても支持部材や押さえ部が回動して一定の仕上がり厚みになるように毛髪を切断できるものである。
【００１９】
さらにまた本発明の請求項７記載の発明にあっては、回動自在な支持部材及び押さえ部をバネにて初期位置に復帰するように付勢しているので、支持部材及び押さえ部が回動しても常に初期位置に戻り、一層スムーズな毛髪の切断ができるものである。
【図面の簡単な説明】
【図１】本発明の一実施例を説明する断面図である。
【図２】同上の拡大せる断面図である。
【図３】同上の要部の分解斜視図である。
【図４】同上の毛髪を切断している状態を説明する断面図である。
【図５】（ａ）（ｂ）は同上の櫛部材の位置調整を説明する断面図である。
【図６】（ａ）（ｂ）は同上の他の実施例の断面図である。
【図７】同上のさらに他の実施例の要部の分解斜視図である。
【図８】（ａ）（ｂ）は同上の櫛部材の回動を説明する断面図である。
【図９】（ａ）（ｂ）（ｃ）は従来例を説明する説明図である。
【符号の説明】
１  ヘアーカッター本体
２  刃部
３  アタッチメント
４  毛髪
５  頭皮
６  支持部材
６ａ  櫛部材
７  押さえ部
８  切断作用部
１５  櫛歯部
１７  彎曲部
１８  当接部
２６  押さえ部材
３０  バネ
【図１】
0003601092.tif 000002
【図２】
0003601092.tif 000003
【図３】
0003601092.tif 000004
【図４】
0003601092.tif 000005
【図５】
0003601092.tif 000006
【図６】
0003601092.tif 000007
【図７】
0003601092.tif 000008
【図８】
0003601092.tif 000009
【図９】
0003601092.tif 000010